(57)【特許請求の範囲】
【請求項１】
複数ページからなる原稿画像を冊子状に面付けする指示であって、面付け処理対象の原稿データのページの指定を伴うことなく冊子の裏表紙であることをもって該裏表紙の画像を１８０°回転するか否かの指示を受け付ける指示受付部と、
前記指示受付部で受け付けた、裏表紙を１８０°回転するか否かの指示に基づいて、該指示が裏表紙を１８０°回転する指示である場合に、裏表紙に相当する画像を１８０°回転する回転処理部と、
前記複数ページからなる原稿画像に基づくとともに、前記指示が裏表紙を１８０°回転する指示であった場合に回転された前記裏表紙を有する冊子状となるように面付けをする面付部とを備えたことを特徴とする面付け処理装置。
【請求項２】
前記指示受付部が、さらに、分冊の有無の指示を受け付け、
前記回転処理部が、前記指示受付部で受け付けた、裏表紙を１８０°回転するか否かの指示および分冊の有無の指示に基づいて、裏表紙に相当する画像を１８０°回転する
ことを特徴とする請求項１に記載の面付け処理装置。
【請求項３】
前記指示受付部が、さらに空白ページの挿入位置に関する指示を受け付け、
前記回転処理部が、前記指示部で受け付けた、裏表紙を１８０°回転するか否かの指示および空白ページの挿入位置に基づいて、裏表紙に相当する画像を１８０度回転する
ことを特徴とする請求項１または２に記載の面付け処理装置。
【発明の詳細な説明】
【技術分野】
【０００１】
本発明は、面付け処理装置、印刷システム、および面付け処理プログラムに関する。
【背景技術】
【０００２】
従来、小冊子用の面付けを行う場合は、本を想定した原稿ページの配置方法が行われている。ただし、これには例外がある。壁掛けカレンダーの場合、印刷物を閉じた状態でおもて表紙とうら表紙の天地が一致していることが好ましい。しかしながら、壁掛けカレンダーに対し本を想定した原稿ページの配置方法を行なうと、印刷物を閉じた状態では、おもて表紙とうら表紙の天地が一致しない。
【０００３】
このため、従来は、おもて表紙とうら表紙の天地を一致させるために、うら表紙に相当するページをユーザが判断して１８０°回転させる作業を行なっている。しかしながら、１８０°回転させるページをユーザの判断に委ねると、分冊の場合やページ数が４の倍数ではない場合などに、回転すべきページを誤るおそれがある。また、ひと組の原稿ごとにこの作業を行なう必要があるため、例えば、多数組の原稿について印刷物を生成する場合にユーザに大きな負担を強いることになる。
【０００４】
ここで、特許文献１には、１枚の用紙上に複数ページの画像を割り付ける場合に各ページの画像の天地を一致させることが提案されている。
【０００５】
また、特許文献２には、１枚の用紙に２つの画像を割り付けるにあたり、その画像が横長の場合に、一方の画像を他方の画像に対して１８０°回転して割り付けることが提案されている。
【０００６】
しかしながら、これら特許文献１，２における提案は、壁掛けカレンダーのおもて表紙とうら表紙の天地を一致させるものではない。
【先行技術文献】
【特許文献】
【０００７】
【特許文献１】特開２００６−１６７９１７号公報
【特許文献２】特開２００９−１０５７５７号公報
【発明の概要】
【発明が解決しようとする課題】
【０００８】
本発明は、上記事情に鑑み、１８０°回転させるページをユーザの判断に委ねる場合と比べ、おもて表紙とうら表紙の天地を容易かつ誤りなく一致させることのできる面付け処理装置、印刷システム、および面付け処理プログラムを提供することを目的とする。
【課題を解決するための手段】
【０００９】
請求項１は、
複数ページからなる原稿画像を冊子状に面付けする指示であって、面付け処理対象の原稿データのページの指定を伴うことなく冊子の裏表紙であることをもって該裏表紙の画像を１８０°回転するか否かの指示を受け付ける指示受付部と、
前記指示受付部で受け付けた、裏表紙を１８０°回転するか否かの指示に基づいて、該指示が裏表紙を１８０°回転する指示である場合に、裏表紙に相当する画像を１８０°回転する回転処理部と、
前記複数ページからなる原稿画像に基づくとともに、前記指示が裏表紙を１８０°回転する指示であった場合に回転された前記裏表紙を有する冊子状となるように面付けをする面付部とを備えたことを特徴とする面付け処理装置である。
【００１０】
請求項２は、前記指示受付部が、さらに、分冊の有無の指示を受け付け、
前記回転処理部が、前記指示受付部で受け付けた、裏表紙を１８０°回転するか否かの指示および分冊の有無の指示に基づいて、裏表紙に相当する画像を１８０°回転する
ことを特徴とする請求項１に記載の面付け処理装置である。
【００１１】
請求項３は、
前記指示受付部が、さらに空白ページの挿入位置に関する指示を受け付け、
前記回転処理部が、前記指示部で受け付けた、裏表紙を１８０°回転するか否かの指示および空白ページの挿入位置に基づいて、裏表紙に相当する画像を１８０度回転する
ことを特徴とする請求項１または２に記載の面付け処理装置である。
【発明の効果】
【００１２】
本発明によれば、１８０°回転させるページをユーザの判断に委ねる場合と比べ、おもて表紙とうら表紙の天地を容易かつ誤りなく一致させることができる。
【図面の簡単な説明】
【００１３】
【図１】印刷システムの全体構成を示した概念図である。
【図２】原稿ページ配置例を示した図である。
【図３】製本後の印刷物のイメージを示した図である。
【図４】小冊子（ブックレット）の製本方式の設定画面を示した図である。
【図５】小冊子の製本方式の詳細設定画面を示した図である。
【図６】「とじ方向」の概念を示した模式図である。
【図７】「分冊」の概念を示した模式図である。
【図８】原稿ページの配置例を示した図である。
【図９】空白ページの挿入位置を示した模式図である。
【図１０】面付け処理プログラムのフローチャートを示した図である。
【図１１】ページ配置処理のフローチャートを示した図である。
【発明を実施するための形態】
【００１４】
以下、本発明の実施の形態について説明する。
【００１５】
なお、以下において説明する実施形態では、用紙上にプリントされた画像以外は全てデータ上の画像を取り扱っている。そこで、以下では、データ上の画像であっても、例えば「画像データ」のようにデータ上の画像であることを明示することなく、単に「画像」と表現することがある。原稿など、画像の範疇に入る他の用語についても同様である。
【００１６】
図１は、印刷システムの全体構成を示した概念図である。
【００１７】
この図１に示す印刷システム１０は、複数台のクライアントＰＣ（パーソナルコンピュータ）１００と、複合機２００とを備えていて、それらが、ＬＡＮ（Ｌｏｃａｌ  Ａｒｅａ  Ｎｅｔｗｏｒｋ）３００で互いに接続されている。
【００１８】
各クライアントＰＣ１００では、ユーザ操作により、後述する、おもて面とうら面の天地を一致させる処理を含む面付け処理が行われる。ここで、各クライアントＰＣ１００は、本発明の面付け処理装置の一例に相当する。クライアントＰＣ１００のハードウェアは広く知られた汎用技術であり、ここでの図示および説明は省略する。
【００１９】
また、複合機２００は、ＬＡＮ３００を経由しての通信機能、原稿等に描かれた画像を読み取って画像データを生成するスキャナ機能、および、用紙上に画像をプリント出力するプリント機能等を有する。
【００２０】
図２は、原稿ページ配置例を示した図である。ここには、８ページからなるランドスケープ原稿（横長原稿）であって、左とじ（後述する）の場合の原稿ページ配置が示されている。
【００２１】
ここでは、印刷後の用紙が、その用紙の長手方向中央で２つ折りにされる。このため、ここでは、８ページの原稿が用紙のおもて面とうら面のそれぞれに２ページずつ、用紙２枚にわたって配置される。図示の通り、１枚目の用紙のおもて面には、原稿の８ページ目と１ページ目が配置されている。原稿の８ページ目は印刷物のうら面となり、原稿の１ページ目は印刷物のおもて面となる。
【００２２】
ここで、図２（Ａ）では、うら面となる原稿の８ページ目は、原稿の他のページと同一の向きに配置されている。これに対し、図２（Ｂ）では、うら面となる原稿の８ページ目だけ、原稿の他のページと比べ１８０°回転した姿勢に配置されている。ここで、印刷後において、この２枚の用紙を重ねて折り曲げて製本する。
【００２３】
図３は、製本後の印刷物のイメージを示した図である。
【００２４】
図２（Ａ）のように、原稿の向きを全ページについて同一の向きに配置すると、その印刷物は、製本後の印刷物を閉じた状態において、図３（Ａ）に示すように、おもて表紙とうら表紙の天地が逆向きになってしまう。
【００２５】
そこで、図２（Ｂ）のように、うら表紙のページ（ここでは原稿の８ページ目）のみを１８０°回転させた姿勢に配置した印刷物を生成する。すると、図３（Ｂ）に示すように、おもて表紙とうら表紙の天地が揃うことになる。
【００２６】
図３（Ｂ）に示すような、おもて表紙とうら表紙の天地を揃えた印刷物を望む場合、従来は、原稿の、うら表紙となるページをユーザが判断して、そのページをユーザの操作により１８０°回転している。ところが、左とじ／右とじの別や分冊（後述する）のやり方に応じてうら表紙となるページの配置位置が異なるため、うら表紙となるページをページ配置後に１８０°回転させようとすると、うら表紙のページではないページを回転させてしまうというミスが入り込むおそれがある。また、原稿のページ数が４の倍数ではなかったときは、空白ページが挿入され、原稿の最終ページがうら表紙となるとは限らない。このため、ユーザが原稿の最終ページの画像イメージをもとにうら表紙のページを判断すると、この場合もミスが入り込むおそれがある。そこで、本実施形態では、ユーザには、うら表紙を１８０°回転させるか否かの意思表示のみ入力させて、うら表紙に相当するページの回転は装置内部で自動的に行う構成としている。以下、詳細に説明する。
【００２７】
図４は、小冊子（ブックレット）の製本方式の設定画面を示した図である。
【００２８】
ユーザは、クライアントＰＣ１００を操作して、その表示画面上に、この図４に示す製本方式の設定画面を表示させる。ここでは、ユーザ操作により、「中とじ」や「平とじ」などが選択される。小冊子（ブックレット）の製本方式には、「中とじ」と「平とじ」の他にも存在するが、ここでの説明とは無関係なので、ここでは割愛する。また、「平とじ」は、原稿のページ配置に関しては、「中とじ」における「１枚ごとの分冊」（後述する）と同じなので、以下では「中とじ」が選択されたものとして説明する。
【００２９】
図５は、小冊子の製本方式の詳細設定画面を示した図である。なお、この詳細設定画面は、ここでの説明に必要な設定項目をまとめて示したものであり、これらの設定項目が１つのメニュー画面上で設定される構成である必要はなく、ばらばらなメニュー画面上でそれぞれ設定される構成であってもよい。また、詳細設定項目は、この図５に示した項目以外にも多数の項目が存在するが、それらの項目は以下の説明とは無関係なので、それらの項目についての図示および説明は割愛する。
【００３０】
この図５に示す詳細設定画面上では、「とじ方向」、「分冊」の有無と「分冊」を行う場合の「分冊枚数」、「空白ページの挿入位置」、および「うら表紙を１８０°回転する」か否か、が設定される。
【００３１】
「とじ方向」については、「左とじ」と「右とじ」とのうちのいずれかが選択される。
【００３２】
図６は、「とじ方向」の概念を示した模式図である。図６（Ａ），（Ｂ）は、それぞれ、「左とじ」、「右とじ」を表わしている。
【００３３】
図６（Ａ）の「左とじ」は、ポートレート原稿（縦長の原稿）の印刷物のおもて表紙を正しい姿勢で自分に向けたときにその左側に折り目がきて、その左側の折り目を綴じる製本方式である。また、図６（Ｂ）の「右とじ」は、ポートレート原稿（縦長の原稿）の印刷物のおもて表紙を正しい姿勢で自分に向けたときにその右側に折り目がきて、その右側の折り目を綴じる製本方式である。なお、以下では、「左とじ」が設定された場合を例に挙げて説明する。
【００３４】
図５に戻って説明を続ける。
【００３５】
この図５に示す詳細設定画面上では、「分冊」の有無と「分冊」を行う場合の「分冊枚数」が設定される。
【００３６】
図７は、「分冊」の概念を示した模式図である。
【００３７】
図７（Ａ）は、「分冊」しない場合を示している。この場合、印刷後の全ページ分の用紙がまとめて中とじされる。
【００３８】
図７（Ｂ）は、「分冊」することが設定され、かつ、「分冊枚数」＝２が設定された場合の製本方式を示している。ここで、「分冊枚数」は、１つの分冊を構成する用紙の枚数をいう。図７（Ｂ）には、「分冊枚数」＝２、すなわち、用紙２枚からなる分冊が３つ揃えられて１つの小冊子として製本される。
【００３９】
図８は、原稿ページの配置例を示した図である。ここでは、うら表紙となる原稿１６ページ目の配置位置を太枠で示し、かつ、その原稿１６ページ目を１８０°回転させた姿勢で示している。
【００４０】
図８（Ａ）は、１６ページからなるポートレート原稿（縦長の原稿）、左とじ、分冊しない場合の原稿ページ配置を示している。この場合、１枚目の用紙のおもて面に、うら表紙となる１６ページ目とおもて表紙となる１ページ目が配置される。
【００４１】
なお、１６ページ目と１ページ目の配置の左右位置は、この図に示すとおりであるが、説明が煩雑になるため左右位置についての言及は省略する。用紙１枚目のうら面および用紙２枚目以降の説明、および他の図の説明においても同様である。
【００４２】
分冊なしの場合、図８（Ａ）に示すとおり、１６ページからなる原稿をページ順に並べたときの両端のページ（１ページ目と１６ページ目）が１枚目の用紙のおもて面に配置され、両端から１つずつ内側の２ページ目と１５ページ目が１枚目の用紙のうら面に配置され、さらに１つずつ内側の３ページ目と１４ページ目が２枚目の用紙のおもて面に配置され、以下、同様に配置される。
【００４３】
また、図８（Ｂ）は、１６ページからなるポートレート原稿（縦長の原稿）、左とじ、「１枚ごとに分冊」の場合の原稿ページ配置を示している。この場合、おもて表紙となる原稿の１ページ目は１枚目の用紙のおもて面に配置されるが、うら表紙となる原稿の１６ページ目は、４枚目の用紙のおもて面に配置される。
【００４４】
この図８（Ｂ）に示す「１枚ごとに分冊」の場合、１６ページの原稿をページ順に４ページずつの分冊セットに分け、最初の分冊のセット（原稿の１ページ目〜４ページ目）のうちの両端のページ（１ページ目と４ページ目）が１枚目の用紙のおもて面に配置され、残りの２ページ（２ページ目と３ページ目）が１枚目の用紙のうら面に配置される。他の分冊セットについても同様である。
【００４５】
また、図８（Ｃ）は、１６ページからなるポートレート原稿（縦長の原稿）、左とじ、「２枚ごとに分冊」の場合の原稿ページ配置を示している。この場合、おもて表紙となる原稿の１ページ目は１枚目の用紙のおもて面に配置され、うら表紙となる原稿の１６ページ目は、３枚目の用紙のおもて面に配置される。
【００４６】
この図８（Ｂ）に示す「２枚ごとに分冊」の場合、１６ページの原稿をページ順に８ページずつの分冊セットに分け、最初の分冊のセット（原稿の１ページ目〜８ページ目）のうちの両端のページ（１ページ目と８ページ目）が１枚目の用紙のおもて面に配置され、両端から１つずつ内側の２ページ目と７ページ目が１枚目の用紙のうら面に配置され、さらに１つずつ内側の３ページ目と６ページ目が２枚目の用紙のおもて面に配置され、残りの２ページ（４ページ目と５ページ目）が２枚目の用紙のうら面に配置される。もう１つの分冊セットについても同様である。
【００４７】
この図８に示すように、１８０°回転させることがある、うら表紙の配置位置は、分冊の有無や分冊枚数によって変化する。
【００４８】
図５に戻って説明を続ける。
【００４９】
この図５に示す詳細設定画面上では、「空白ページの挿入位置」が設定される。この「空白ページの挿入位置」の設定は、原稿のページ数が４の倍数ではないときに有効な設定である。ここでは、「空白ページの挿入位置」として、「最終ページ」、「最後から２ページ目」、「２ページ目」、および「先頭ページ」のうちのいずれかが選択される。
【００５０】
原稿のページ数が４の倍数ではない場合は、空白のページが生じる。そこで、この「空白ページの挿入位置」では、その空白のページを原稿のページ配列のどこに挿入するかが選択される。
【００５１】
例えば「最終ページ」を選択すると、最終ページが空白ページとなる。複数の空白ページが生じる場合、「最終ページ」を選択すると、最終ページを含む、その最終ページから順次に遡る複数のページが空白ページとなる。「最後から２ページ目」、「２ページ目」、および「先頭ページ」についても同様である。
【００５２】
図９は、空白ページの挿入位置を示した模式図である。ここには、１４ページのランドスケープ原稿（横長の原稿）、左とじ、分冊なしの場合についての空白ページの挿入位置が示されている。
【００５３】
ここで、図９（Ａ）は、「空白ページの挿入位置」として「最終ページ」を選択した場合の、空白ページを含む原稿ページの配置位置を示している。
【００５４】
上述の通り、この図９は、原稿ページ数が１４ページの場合を示した図である。
【００５５】
ここで、図９（Ａ）を、原稿のページ数が４の倍数である１６ページであって分冊なしの場合の図８（Ａ）と比べると、原稿ページ数が１６ページの場合の最終ページ（１６ページ目）と１つ前のページ（１５ページ目）に対応するページが空白ページとなっている。すなわち、この場合は、空白ページがうら表紙となる。
【００５６】
また、図９（Ｂ）は、「空白ページの挿入位置」として「最後から２ページ目」を選択した場合の、空白ページを含む原稿ページの配置位置を示している。
【００５７】
図９（Ｂ）では、原稿の最終ページである１４ページ目がうら表紙の位置（１枚目の用紙のおもて面）に配置され、図８（Ａ）に示す、原稿ページ数が１６ページの場合の最後から２ページ目（原稿の１５ページ目）とその１つ前のページ（原稿の１４ページ目）に対応するページが空白ページとなっている。
【００５８】
また、図９（Ｃ）は、「空白ページの挿入位置」として「２ページ目」を選択した場合の、空白ページを含む原稿ページの配置位置を示している。
【００５９】
この場合、図８（Ａ）に示す、原稿ページ数が１６ページの場合の、原稿の２ページ目とその次の３ページ目に対応するページが空白ページとなっている。
【００６０】
さらに、図９（Ｄ）は、「空白ページの挿入位置」として「先頭ページ」を選択した場合の、空白ページを含む原稿ページの配置位置を示している。
【００６１】
この場合、図８（Ａ）に示す、原稿ページ数が１６ページの場合の、原稿の先頭ページ（１ページ目）とその次の２ページ目に対応するページが空白ページとなっている。
【００６２】
ここで、図９（Ａ）の場合は、空白ページがうら表紙となり、図９（Ｂ）〜（Ｄ）の場合は、原稿の１４ページ目がうら表紙となっている。したがって、１８０°回転させるページをユーザが判断し、原稿の最終ページ（１４ページ目）を回転させてしまうと、図９（Ａ）の場合は、うら表紙ではないページが逆向きとなってしまうことになる。図９は、「分冊」なしの場合について例示した図であるが、分冊を行なう場合も同様なことが生じ得る。本実施形態では、どのページがうら表紙となるページであるかをユーザに判断させることなく、うら表紙を１８０°回転させるか否かだけユーザに意思表示させ、うら表紙となるページの判定やそのページの回転処理は装置内で自動的に行なうことで、誤ったページの回転を防いでいる。
【００６３】
さらに図５に戻って説明を続ける。
【００６４】
この図５に示す詳細設定画面上では、「うら表紙を１８０°回転する」か否か、が設定される。
【００６５】
ここでの設定により、うら表紙が１８０°回転した姿勢となり、あるいは回転しない姿勢のままとなる。
【００６６】
図１０は、面付け処理プログラムのフローチャートを示した図である。
【００６７】
この図１０に示す面付け処理プログラムが図１に示したクライアントＰＣ１００内で実行されることにより、以上に例示した面付け処理が行われる。
【００６８】
ここでは、ユーザ操作に応じて、ジョブ（ひと組の原稿）が選択される（ステップＳ０１）。次いで、製本方式の設定（図４参照）と、その詳細設定（図５参照）が行われる（ステップＳ０２）。すると、クライアントＰＣ１００内においてページ配置処理が行われる（ステップＳ０３）。このステップＳ０３におけるページ配置処理については、図１１を参照して後述する。
【００６９】
次に、うら表紙を１８０°回転させることが指示されているか否か（図５参照）が判定され（ステップＳ０４）、うら表紙を１８０°回転させることが指示されていたときは、うら表紙のページを１８０°回転させる（ステップＳ０５）。そして、ページ配置処理（ステップＳ０３）に従って配置され、かつ、うら表紙の回転の指示があった場合にはその指示にしたがってうら表紙を回転させた後の印刷画像のプレビューが表示される（ステップＳ０６）。プレビューの終了が指示され（ステップＳ０７）、印刷が指示されると（ステップＳ０８）、印刷画像と、その印刷画像に基づく印刷の指示が、クライアントＰＣから複合機２００に向けて送信される（ステップＳ０９）。複合機２００では、この指示を受けて、印刷画像を用紙上に印刷する。
【００７０】
図１１は、ページ配置処理のフローチャートを示した図である。この図１１に示すページ配置処理は、図１０のステップＳ０３における処理である。
【００７１】
ここでは、先ず、原稿のページ数を取得し（ステップＳ１１）、原稿ページリストを作成する（ステップＳ１２）。ここで、「原稿ページリスト」は原稿を１ページずつ配置する枠の配列をいう。
【００７２】
次いで、原稿ページ数が４の倍数か否かが判定され（ステップＳ１３）、４の倍数ではなかったときは、空白ページを配置するための枠を原稿ページリストに追加する調整を行なう（ステップＳ１４）。
【００７３】
次に、シートごとに以下の処理を繰り返す。ここで、「シート」は、１枚の用紙のおもて面あるいはうら面のそれぞれをいう。すなわち、ここでは、各シートには、２ページ分の原稿（空白ページを含む）が配置される。
【００７４】
ここでは、分冊の指定があるか否か（図５参照）が判定され（ステップＳ１５）、分冊の指定がないときは、現在処理中のシートに配置する２ページ分の原稿を、その原稿の全ページの中から選択する（ステップＳ１６）。その際、空白ページが存在するときは、図５に示す「空白ページの挿入位置」での設定にしたがって空白ページを挿入する（図９参照）。
【００７５】
一方、ステップＳ１５において、分冊を行なうことが指定されていたと判定されると、ステップＳ１７に進み、現在処理中のシートに配置する２ページ分の原稿を、現在の分冊セット（原稿のページのひと組）の中から選択する（ステップＳ１７）。図８（Ｂ）に示すように、「１枚ごとに分冊」の場合は原稿の４ページがひと組となって１つの分冊セットとなり、図８（Ｃ）に示すように、「２枚ごとに分冊」の場合は原稿の８ページがひと組となって１つの分冊セットとなる。「３枚ごとに分冊」など、他の分冊指定の場合も同様である。このステップＳ１７においても、空白ページが存在するときは、図５に示す「空白ページの挿入位置」での設定にしたがって空白ページを挿入する（図９参照）。
【００７６】
ここでは、シートごとのページ配置処理が繰り返され（ステップＳ１８）、空白ページを含む全ページについての配置処理が終了すると、この図１１に示したページ配置処理を終了する。その後は、図１０のステップＳ０４以降の処理が実行される。
【００７７】
以上の処理により、ユーザはうら表紙を１８０°回転させるか否かを設定する（図５参照）だけで、後は自動的に、その設定にしたがってうら表紙が１８０°回転され、あるいは回転しないままとなり、誤ったページを回転してしまうミスが防止され、また、ユーザによる回転処理の手間が省かれる。
なお、うら表紙を１８０°回転させる処理は、カレンダーを想定した処理であり、ここでは小冊子の面付けを利用しているが、これは面付けに関することであって、カレンダーの場合、必ずしも冊子として綴じる必要はない。
【符号の説明】
【００７８】
１０    印刷システム
１００  クライアントＰＣ
２００  複合機
３００  ＬＡＮ
【図１】
0006699347.tif 000002
【図２】
0006699347.tif 000003
【図３】
0006699347.tif 000004
【図４】
0006699347.tif 000005
【図５】
0006699347.tif 000006
【図６】
0006699347.tif 000007
【図７】
0006699347.tif 000008
【図８】
0006699347.tif 000009
【図９】
0006699347.tif 000010
【図１０】
0006699347.tif 000011
【図１１】
0006699347.tif 000012